【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
医用画像化検査のための検査室（１９）の外側にある制御室（２１）内に配置された医用画像化装置（１０）の制御ユニット（３０）と、検査室（１９）内にいる操作者（２２）および患者寝台装置（１８）上に位置決めされて検査室（１９）内にいる患者（１７）の少なくとも一方との間で通信する方法であって、
患者寝台装置（１８）上に位置決めされた対象物および操作者（２２）の少なくとも一方の対象物データを対象物データ取得ユニット（２４）により取得するステップと、
対象物データ取得ユニット（２４）によって取得された対象物データを制御ユニット（３０）へ伝達するステップと、
それらの取得された対象物データに基づいて、操作者（２２）の情報および患者寝台装置（１８）上に位置決めされた対象物の情報の少なくとも一方を制御ユニット（３０）により求めるステップと、
その求められた情報に基づいて出力情報を発生するステップと、
その出力情報を検査室（１９）内において出力するステップと、
を含む制御ユニットと操作者および患者の少なくとも一方との間の通信方法。
【請求項２】
患者寝台装置上に配置された対象物の求められた情報が、医用画像撮像検査中の位置情報および運動情報の少なくとも一方を含むことを特徴とする請求項１記載の方法。
【請求項３】
出力情報が、少なくとも１つの安全上の指摘、および、患者（１７）および操作者（２２）の少なくとも一方に対する指示、の少なくとも一方を含むことを特徴とする請求項１又は２記載の方法。
【請求項４】
安全上の指摘が、患者寝台装置（１８）上における患者（１７）および他の対象物の少なくとも一方に誤りのある位置決めを指摘すること、および、医用画像化検査のための患者（１７）の準備中に、生じ得る危険領域を指摘すること、の少なくとも一方を特徴とする請求項３記載の方法。
【請求項５】
出力情報が、医用画像化検査中の患者のための少なくとも１つの癒し画像および光学的刺激の少なくとも一方を含むことを特徴とする請求項１乃至４の１つに記載の方法。
【請求項６】
対象物データの取得が、３Ｄ画像データ取得ユニットにより光学的３Ｄ画像データを取得することによって行われることを特徴とする請求項１乃至５の１つに記載の方法。
【請求項７】
対象物データの取得が、音響式対象物データ取得ユニット（２５）により音響的対象物データを取得することによって行われることを特徴とする請求項１乃至６の１つに記載の方法。
【請求項８】
出力情報が、少なくとも部分的に音声出力情報によって形成されていることを特徴とする請求項１乃至７の１つに記載の方法。
【請求項９】
出力情報が、少なくとも部分的に、検査室（１９）内で表示面（３９）に投影される光学的出力情報を含むことを特徴とする請求項１乃至８の１つに記載の方法。
【請求項１０】
表示面（３９）に対して最大のコントラストを有する光学的出力情報が出力されることを特徴とする請求項９記載の方法。
【請求項１１】
表示面（３９）が、操作者（２２）および患者（１７）の少なくとも一方の注視方向に関連して選択されることを特徴とする請求項９又は１０記載の方法。
【請求項１２】
光学的出力情報が、データバンクに記憶された医用画像情報を含み、該医用画像情報が患者（１７）上に投影されることを特徴とすることを特徴とする請求項９乃至１１の１つに記載の方法。
【請求項１３】
光学的出力情報が少なくとも部分的に光学的制御パネル（４１）を含むことを特徴とする請求項９乃至１２の１つに記載の方法。
【請求項１４】
対象物データ取得ユニット（２４）によって取得された操作者（２２）の対象物データにより、光学的制御パネル（４１）の位置およびサイズの少なくとも一方が、選択および変更の少なくとも一方が可能であることを特徴とする請求項１３記載の方法。
【請求項１５】
制御ユニット（３０）によって、操作者（２２）の検出されたジェスチャーが操作者（２２）による光学的制御パネル（４１）の移動として解釈され、これによって患者（１７）のスキャン範囲および患者（１７）上における検出器ユニット（１１）の均一範囲の少なくとも一方が操作者（２２）により確定されることを特徴とする請求項１３又は１４記載の方法。
【請求項１６】
出力情報の出力後に操作者（２２）および患者（１７）の少なくとも一方の返答が、音響的な対象物データおよび光学的な対象物データの少なくとも一方により検出される請求項１乃至１５の１つに記載の方法。
【請求項１７】
操作者（２２）および患者（１７）の少なくとも一方の返答として取得された音響的な対象物データおよび光学的な対象物データの少なくとも一方が、制御ユニット（３０）によって、設定入力および制御命令入力の少なくとも一方として解釈されることを特徴とする請求項１６記載の方法。
【請求項１８】
返答から求められた情報に関連して他の出力情報が発生される請求項１６又は１７記載の方法。
【請求項１９】
出力情報の出力が制御命令の実行を含むことを特徴とする請求項１７又は１８記載の方法。
【請求項２０】
他の出力情報が、検査室（１９）内で表示面（３９）に投影される他の光学的制御パネル（４１）を含むことを特徴とする請求項１８記載の方法。
【請求項２１】
音響的な対象物データの取得と光学的な対象物データの取得とが同時に行われることを特徴とする請求項１乃至２０の１つに記載の方法。
【請求項２２】
出力情報が光学的にも音響的にも出力されることを特徴とする請求項１乃至２１の１つに記載の方法。
【請求項２３】
患者撮影領域（１５）および患者寝台装置（１８）を有し、保護された検査室（１９）内に配置された検出器ユニット（１１）と、
保護された検査室（１９）の外側にある制御室（２１）内に配置された制御ユニット（３０）と、
この制御ユニット（３０）と、検査室（１９）内にいる操作者（２２）および患者（１７）の少なくとも一方との間で通信するために、患者情報および操作者（２２）の光学的な対象物データの少なくとも一方を取得する３Ｄ画像データ取得ユニットと投影ユニットとを含む通信ユニット（２３）と、
を備える医用画像化装置において、
投影ユニットにより、光学的制御パネル（４１）が検査室（１９）内において表示面（３９）に投影可能であることを特徴とする医用画像化装置。
【請求項２４】
投影ユニットにより、光学的制御パネル（４１）が、検出器ユニット（１１）の外側ハウジングの上、患者寝台装置（１８）の上および患者（１７）の上、の少なくとも１つに投影可能であることを特徴とする請求項２３記載の医用画像化装置。
【請求項２５】
光学的制御パネル（４１）にて行われる少なくとも１つの制御命令が、３Ｄ画像データ取得ユニットにより、検査室（１９）内において操作者（２２）および患者（１７）の少なくとも一方のジェスチャーとして検出可能であることを特徴とする請求項２３又は２４記載の医用画像化装置。
【請求項２６】
通信ユニット（２３）が、検査室（１９）内における投影ユニットの空間的な向きおよび空間的調整の少なくとも一方のために、少なくとも１つの位置決め手段（３３，３４）を有することを特徴とする請求項２３乃至２５の１つに記載の医用画像化装置。
【請求項２７】
通信ユニット（２３）が、検査室（１９）内における３Ｄ画像データ取得ユニットの空間的調整および空間的な向きの少なくとも一方のために、少なくとも１つの位置決め手段（３１，３２）を有することを特徴とする請求項２３乃至２６の１つに記載の医用画像化装置。
【請求項２８】
投影ユニットの空間的な向きおよび空間的調整の少なくとも一方のための位置決め手段（３３）、および、３Ｄ画像データ取得ユニットの空間的な向きおよび空間的調整の少なくとも一方のための位置決め手段（３１）、の少なくとも一方が、制御室（２１）内に配置されていることを特徴とする請求項２６又は２７記載の医用画像化装置。
【請求項２９】
３Ｄ画像データ取得ユニットが光軸（３５）を有し、投影ユニットが光軸（３６）を有し、投影ユニットの光軸（３６）の向きに対して３Ｄ画像データ取得ユニットの光軸（３５）の向きが変更可能であることを特徴とする請求項２６乃至２８の１つに記載の医用画像化装置。
【請求項３０】
投影ユニットおよび３Ｄ画像データ取得ユニットの少なくとも一方が、検査室（１９）の壁に配置されていることを特徴とする請求項２３乃至２９の１つに記載の医用画像化装置。
【請求項３１】
通信ユニット（２２）が、操作者（２２）および患者（１７）の少なくとも一方の音響的な対象物データを取得するために音響式対象物データ取得ユニット（２５）を有することを特徴とする請求項２３乃至３０の１つに記載の医用画像化装置。
【請求項３２】
制御ユニット（３０）が、通信ユニット（２３）により取得された対象物データを評価し、これらの情報に関連して音響情報を出力するための音響信号を発生することを特徴とする請求項２３乃至３１の１つに記載の医用画像化装置。
【請求項３３】
通信ユニット（２３）が、検査室（１９）内に音響信号を出力するために音響出力ユニット（２８）を有することを特徴とする請求項３２記載の医用画像化装置。
【請求項３４】
制御ユニット（３０）により通信ユニット（２３）の制御が行われることを特徴とする請求項２３乃至３３の１つに記載の医用画像化装置。